(57)【要約】【課題】  高機能化や多様化をより容易に実現することが可能なＬＥＤ照明装置を提供すること。【解決手段】  ｘ方向に配列された複数のＬＥＤ２と、複数のＬＥＤ２を覆う透光性を有するカバー４と、を備えたＬＥＤ照明装置Ａ１であって、それぞれの機能が異なる第１モジュールとしての人感センサモジュール５および第２モジュールとしての無線通信モジュール６を、カバー４のｘ方向端部に選択的に取付可能である。【選択図】  図２２
2020145015.tif 000002
【特許請求の範囲】
【請求項１】
長手方向に配列された複数のＬＥＤと、
前記複数のＬＥＤを覆う透光性を有するカバーと、を備えたＬＥＤ照明装置であって、
それぞれの機能が異なる第１モジュールおよび第２モジュールを、前記カバーの長手方向端部に選択的に取付可能であることを特徴とする、ＬＥＤ照明装置。
【請求項２】
前記カバーは、互いの長さが異なる複数の前記カバーから選択される、請求項１に記載のＬＥＤ照明装置。
【請求項３】
前記第１モジュールおよび第２モジュールのそれぞれは、外部の給電部に取り付けるための共通の口金を有する、請求項１または２に記載のＬＥＤ照明装置。
【請求項４】
前記第１モジュールおよび前記第２モジュールのそれぞれは、前記口金に係合することにより前記口金の位置決めに用いられるリブを有する、請求項１ないし３のいずれかに記載のＬＥＤ照明装置。
【発明の詳細な説明】
【技術分野】
【０００１】
本発明は、ＬＥＤ照明装置に関する。
【背景技術】
【０００２】
ＬＥＤを光源として用いたＬＥＤ照明装置が種々に提案されている。特許文献１には、従来のＬＥＤ照明装置の一例が開示されている。同文献に開示されたＬＥＤ照明装置は、複数のＬＥＤが長手方向に配列された、直管形蛍光灯の代替製品として構成されている。当該ＬＥＤ照明装置には、人感センサが設けられている。人感センサは、人体の接近等を検出することにより、ＬＥＤ照明装置の点灯制御等に利用される。
【先行技術文献】
【特許文献】
【０００３】
【特許文献１】特開２０１５−１８７６０号公報
【発明の概要】
【発明が解決しようとする課題】
【０００４】
上述したＬＥＤ照明装置では、人感センサが、長さ方向端部に設けられた口金の内部に搭載されている。仮に、ＬＥＤ照明装置の高機能化や多様化を果たすために、人感センサ以外の構成要素を搭載する場合、口金あるいは口金に加えてＬＥＤ照明装置の他の部位を新たに設計し、ＬＥＤ照明装置全体を別に製造する必要がある。
【０００５】
本発明は、上記した事情のもとで考え出されたものであって、高機能化や多様化をより容易に実現することが可能なＬＥＤ照明装置を提供することをその課題とする。
【課題を解決するための手段】
【０００６】
本発明によって提供されるＬＥＤ照明装置は、長手方向に配列された複数のＬＥＤと、前記複数のＬＥＤを覆う透光性を有するカバーと、を備えたＬＥＤ照明装置であって、それぞれの機能が異なる第１モジュールおよび第２モジュールを、前記カバーの長手方向端部に選択的に取付可能であることを特徴としている。
【０００７】
本発明の好ましい実施の形態においては、前記カバーは、互いの長さが異なる複数の前記カバーから選択される。
【０００８】
本発明の好ましい実施の形態においては、前記第１モジュールおよび第２モジュールのそれぞれは、外部の給電部に取り付けるための共通の口金を有する。
【０００９】
本発明の好ましい実施の形態においては、前記第１モジュールおよび前記第２モジュールのそれぞれは、前記口金に係合することにより前記口金の位置決めに用いられるリブを有する。
【発明の効果】
【００１０】
本発明によれば、ＬＥＤ照明装置の高機能化や多様化をより容易に実現することができる。
【００１１】
本発明のその他の特徴および利点は、添付図面を参照して以下に行う詳細な説明によって、より明らかとなろう。
【図面の簡単な説明】
【００１２】
【図１】本発明の第１実施形態に係るＬＥＤ照明装置を示す斜視図である。
【図２】本発明の第１実施形態に係るＬＥＤ照明装置を示す要部拡大斜視図である。
【図３】本発明の第１実施形態に係るＬＥＤ照明装置を示す要部分解斜視図である。
【図４】本発明の第１実施形態に係るＬＥＤ照明装置を示す要部拡大斜視図である。
【図５】図３のＶ−Ｖ線に沿う断面図である。
【図６】図５のＶＩ−ＶＩ線に沿う断面図である。
【図７】本発明の第１実施形態に係るＬＥＤ照明装置の人感センサモジュールを示す斜視図である。
【図８】本発明の第１実施形態に係るＬＥＤ照明装置の人感センサモジュールを示す分解斜視図である。
【図９】本発明の第１実施形態に係るＬＥＤ照明装置の人感センサモジュールを示す要部分解斜視図である。
【図１０】本発明の第１実施形態に係るＬＥＤ照明装置の人感センサモジュールを示す要部断面斜視図である。
【図１１】本発明の第１実施形態に係るＬＥＤ照明装置の人感センサモジュールを示す（ａ）は平面図であり、（ｂ）は正面図であり、（ｃ）は底面図であり、（ｄ）は側面図である。
【図１２】図１１（ａ）のＸＩＩ−ＸＩＩ線に沿う断面図である。
【図１３】図１１（ａ）のＸＩＩＩ−ＸＩＩＩ線に沿う断面図である。
【図１４】本発明の第１実施形態に係るＬＥＤ照明装置の電源基板固定部材を示す（ａ）は斜視図であり、（ｂ）は平面図であり、（ｃ）は（ｂ）のＣ−Ｃ線に沿う断面図である。
【図１５】本発明の第１実施形態に係るＬＥＤ照明装置の無線通信モジュールを示す斜視図である。
【図１６】本発明の第１実施形態に係るＬＥＤ照明装置の無線通信モジュールを示す斜視図である。
【図１７】本発明の第１実施形態に係るＬＥＤ照明装置を示す分解斜視図である。
【図１８】本発明の第１実施形態に係るＬＥＤ照明装置を示す要部分解斜視図である。
【図１９】本発明の第１実施形態に係るＬＥＤ照明装置の無線通信モジュールを示す（ａ）は平面図であり、（ｂ）は正面図であり、（ｃ）は底面図であり、（ｄ）は側面図である。
【図２０】図１９（ａ）のＸＸ−ＸＸ線に沿う断面図である。
【図２１】図１９（ａ）のＸＸＩ−ＸＸＩ線に沿う断面図である。
【図２２】本発明の第１実施形態に係るＬＥＤ照明装置の使用例を示す要部分解斜視図である。
【図２３】本発明の第２実施形態に係るＬＥＤ照明装置の使用例を示す分解斜視図である。
【発明を実施するための形態】
【００１３】
以下、本発明の好ましい実施の形態につき、図面を参照して具体的に説明する。
【００１４】
本開示における「第１」、「第２」、「第３」等の用語は、単にラベルとして用いたものであり、それらの対象物に順列を付することを意図していない。
【００１５】
＜第１実施形態＞
図１〜図２２は、本発明の第１実施形態に係るＬＥＤ照明装置を示している。本実施形態のＬＥＤ照明装置Ａ１は、支持部材１、複数のＬＥＤ２、電源部３、カバー４、人感センサモジュール５、無線通信モジュール６および口金８を備えている。ＬＥＤ照明装置Ａ１は、たとえば直管形蛍光灯の代替照明器具として構成されている。
【００１６】
図１は、ＬＥＤ照明装置Ａ１を示す斜視図である。図２は、ＬＥＤ照明装置Ａ１を示す要部拡大斜視図である。図３は、ＬＥＤ照明装置Ａ１を示す要部分解斜視図である。図４は、ＬＥＤ照明装置Ａ１を示す要部拡大斜視図である。図５は、図３のＶ−Ｖ線に沿う断面図である。図６は、図５のＶＩ−ＶＩ線に沿う断面図である。図７は、ＬＥＤ照明装置Ａ１の人感センサモジュール５を示す斜視図である。図８は、ＬＥＤ照明装置Ａ１の人感センサモジュール５を示す分解斜視図である。図９は、ＬＥＤ照明装置Ａ１の人感センサモジュール５を示す要部分解斜視図である。図１０は、ＬＥＤ照明装置Ａ１の人感センサモジュール５を示す要部断面斜視図である。図１１は、ＬＥＤ照明装置Ａ１の人感センサモジュール５を示す（ａ）は平面図であり、（ｂ）は正面図であり、（ｃ）は底面図であり、（ｄ）は側面図である。図１２は、図１１（ａ）のＸＩＩ−ＸＩＩ線に沿う断面図である。図１３は、図１１（ａ）のＸＩＩＩ−ＸＩＩＩ線に沿う断面図である。図１４は、ＬＥＤ照明装置Ａ１の電源基板固定部材３５を示す（ａ）は斜視図であり、（ｂ）は平面図であり、（ｃ）は（ｂ）のＣ−Ｃ線に沿う断面図である。図１５は、ＬＥＤ照明装置Ａ１の無線通信モジュール６を示す斜視図である。図１６は、ＬＥＤ照明装置Ａ１の無線通信モジュール６を示す斜視図である。図１７は、ＬＥＤ照明装置Ａ１の無線通信モジュール６を示す分解斜視図である。図１８は、ＬＥＤ照明装置Ａ１を示す要部分解斜視図である。図１９は、ＬＥＤ照明装置Ａ１の無線通信モジュール６を示す（ａ）は平面図であり、（ｂ）は正面図であり、（ｃ）は底面図であり、（ｄ）は側面図である。図２０は、図１９（ａ）のＸＸ−ＸＸ線に沿う断面図である。図２１は、図１９（ａ）のＸＸＩ−ＸＸＩ線に沿う断面図である。図２２は、ＬＥＤ照明装置Ａ１の使用例を示す要部分解斜視図である。なお、これらの図において、ｘ方向は、本発明の長手方向に相当する。ｙ方向およびｚ方向は、それぞれがｘ方向に対して直角であり且つ互いに直角である。なお、以降の説明においては、ｙ方向を幅方向と称し、ｚ方向を上下方向と称する場合があるが、これは説明のための便宜であり、本発明の構成が限定されるものではない。
【００１７】
＜支持部材１＞
支持部材１は、図３および図５に示すように、後述のＬＥＤ基板２１を支持するものである。また、支持部材１の好ましい例としては、ＬＥＤ２の点灯時に発する熱が伝達される部材である。支持部材１の材質は特に限定されず、たとえばアルミ等の金属が好ましい。図５に示すように、本実施形態の支持部材１は、主板部１１、一対の側板部１２、一対の保持部１４および一対の筒状部１５。このような支持部材１は、たとえばアルミの押出成形によって形成される。
【００１８】
主板部１１は、ｘ方向を長手方向とし、ｙ方向を幅方向とする帯板状の部位である。主板部１１の片面には、後述のＬＥＤ基板２１が取り付けられている。一対の側板部１２は、主板部１１のｙ方向両側に位置しており、主板部１１に対してｚ方向一方側に配置されている。側板部１２は、ｘ方向を長手方向とし、ｚ方向を短手方向とする帯板状の部位である。
【００１９】
一対の保持部１４は、主板部１１の片面からｚ方向において一対の側板部１２とは反対側に突出している。一対の保持部１４は、ｙ方向に互いに離間している。一対の保持部１４は、各々がｘ方向に長く延びており、互いに平行に配置されている。図示された例においては、保持部１４は、ｘ方向視において鉤状である。一対の保持部１４は、ＬＥＤ基板２１をｙ方向両側から保持するための部位である。
【００２０】
一対の筒状部１５は、主板部１１と一対の側板部１２との間に介在しており、これらを連結している。一対の筒状部１５は、ｙ方向に互いに離間しており、各々がｘ方向に長く延びている。筒状部１５は、ｘ方向視においてスリットが設けられた筒状である。一対の筒状部１５は、たとえば人感センサモジュール５や口金８に支持部材１を係合させるために用いられる。
【００２１】
＜ＬＥＤ２＞
ＬＥＤ２は、ＬＥＤチップ（図示略）を含む。ＬＥＤ２は、ＬＥＤチップ単体からなるものでも、ＬＥＤチップ以外の構成要素を含むものであってもよい。ＬＥＤ２の構成例としては、たとえばＬＥＤチップが搭載されたモジュール基板またはリードと、ＬＥＤチップを覆う透光樹脂とを含む構成が挙げられる。ＬＥＤチップの発光色は特に限定されず、たとえば青色光を発する。また、透光樹脂は、たとえば透明な樹脂に蛍光材料が混入された材質によって形成される。この蛍光材料は、ＬＥＤチップからの青色光によって励起されることにより、黄色光を発する。このような構成により、ＬＥＤ２は、白色光を発する構成とすることができる。
【００２２】
複数のＬＥＤ２は、ｘ方向に配置されており、図示された例においては、ｘ方向に一列に配置されている。なお、複数のＬＥＤ２の配列は特に限定されず、たとえば複数列であってもよいし、千鳥状の配列であってもよい。
【００２３】
本実施形態においては、複数のＬＥＤ２は、ＬＥＤ基板２１に搭載されている。ＬＥＤ基板２１は、図３および図５に示すように、ｘ方向を長手方向とし、ｙ方向を幅方向とし、ｚ方向を厚さ方向とする、長矩形状である。ＬＥＤ基板２１の片面には、複数のＬＥＤ２が搭載されている。ＬＥＤ基板２１は、たとえばガラスエポキシ樹脂やセラミックス等の絶縁性材料からなる基材と、この基材上に形成された配線パターン（図示略）とからなる。ＬＥＤ基板２１は、支持部材１の主板部１１に対してたとえば接着材や接着テープ等によって取り付けられる。
【００２４】
＜電源部３＞
電源部３は、複数のＬＥＤ２を点灯させるための電力を供給するものである。たとえば、電源部３は、商用の交流電力を、ＬＥＤ２の点灯に適した直流電力に変換する。本実施形態においては、図５に示すように、電源部３は、電源基板３１、複数の電源部品３２、絶縁ケース３３および電源基板固定部材３５を有する。図示された例においては、電源部３は、主板部１１に対してＬＥＤ基板２１とは反対側の位置に設けられている。
【００２５】
電源基板３１は、たとえばガラスエポキシ樹脂からなる基材と、当該基材上に形成された配線パターン（図示略）とを有している。本実施形態においては、電源基板３１は、ｘ方向を長手方向とし、ｙ方向を幅方向とし、ｚ方向を厚さ方向とする、長矩形状である。図６に示すように、本実施形態においては、電源基板３１は、固定孔３１１を有する。固定孔３１１は、電源基板３１のｘ方向端部寄りに位置しており、電源基板３１を厚さ方向に貫通している。
【００２６】
複数の電源部品３２は、電源部３の電力変換機能を実現する電気回路を構築するためのものである。複数の電源部品３２は、電源基板３１に実装されており、その個数や種類は特に限定されない。複数の電源部品３２を例示すると、たとえばトランス、コンデンサ、ダイオード、抵抗器等である。電源部３には、たとえば図示しないケーブルが接続される。また、電源部３からは図示しないケーブルに接続されている。
【００２７】
絶縁ケース３３は、電源基板３１および複数の電源部品３２を収容している。絶縁ケース３３の材質は特に限定されず、樹脂等の絶縁性材料が適宜用いられる。図示された例においては、絶縁ケース３３は、ｘ方向に沿って長く延びる角筒状である。
【００２８】
電源基板固定部材３５は、図３、図４、図６および図１８に示すように、電源基板３１をカバー４内の支持部材１に固定するための部材である。図１４に示すように、本実施形態の電源基板固定部材３５は、主板部３５１、係合部３５２および厚肉部３５３を有する。
【００２９】
主板部３５１は、電源基板固定部材３５の本体をなす部位であり、略平板状である。図示された例においては主板部３５１には、開口３５１１および凹部３５１２が設けられている。凹部３５１２は、後述の人感センサモジュール５のケース５１に電源基板固定部材３５を取り付けるための部位である。図示された例においては、ｙ方向両側に２つの凹部３５１２が設けられている。
【００３０】
係合部３５２は、主板部３５１に繋がっており、電源基板３１に係合する部位である。具体的には、図６に示すように、係合部３５２の凸部が電源基板３１の固定孔３１１に係合する。図示された例においては、図１４（ｂ）に示すように、平面視において、係合部３５２の凸部は、開口３５１１に内包されている。ＬＥＤ照明装置Ａ１を組み立てる際には、電源基板固定部材３５の係合部３５２を固定孔３１１に係合させた電源基板３１を、支持部材１にスライドさせて固定する。
【００３１】
厚肉部３５３は、図１４に示すように、主板部３５１のｘ方向一端に設けられており、主板部３５１よりもｚ方向の厚さが厚い部位である。厚肉部３５３は、挿通孔３５３１を有する。挿通孔３５３１は、厚肉部３５３をｚ方向に貫通しており、図４および図６に示すように、２本のケーブル３６を挿通させるためのものである。ケーブル３６は、たとえば、電源部３とＬＥＤ基板２１とに接続されている。
【００３２】
＜カバー４＞
カバー４は、図１〜図５に示すように、複数のＬＥＤ２を覆っており、複数のＬＥＤ２からの光を透過させる透光性を有する材質からなる。本実施形態においては、カバー４は、ｘ方向を軸方向とする筒状であり、支持部材１、ＬＥＤ基板２１、複数のＬＥＤ２および電源部３を収容している。なお、本実施形態とは異なり、カバー４は、半筒状であってもよい。この場合、たとえばカバー４は、複数のＬＥＤ２を覆いつつ、支持部材１を露出させてもよい。カバー４の材質は特に限定されず、ＬＥＤ２からの光を透過させる透明または半透明の樹脂等からなる。本実施形態においては、カバー４は、半透明の乳白色の樹脂からなる。
【００３３】
＜人感センサモジュール５＞
人感センサモジュール５は、図１〜図３に示すように、カバー４のｘ方向端部に取り付けられるものであり、本発明の第１モジュールに相当する。人感センサモジュール５は、ＬＥＤ照明装置Ａ１の設置環境において人体を検出する機能を果たす。人感センサモジュール５からの検出信号は、たとえば電源部３に送られることにより、電源部３による複数のＬＥＤ２の点灯制御に用いられる。ＬＥＤ２の点灯制御としては、ＯＮ／ＯＦＦ制御、輝度制御、調光制御等が挙げられる。
【００３４】
本実施形態の人感センサモジュール５は、図７〜図１３に示すように、ケース５１、センサ基板５２、センサ部５３、レンズ部５４、インジケータ５５、コネクタ５６、ねじ５９および口金７を備える。
【００３５】
ケース５１は、センサ基板５２、センサ部５３、レンズ部５４、インジケータ５５およびコネクタ５６を収容している。ケース５１の材質は特に限定されず、たとえば金型成形に適した樹脂からなる。本実施形態においては、ケース５１は、第１部５１１および第２部５１２からなる。
【００３６】
第１部５１１は、ケース５１のｚ方向における概ね半分を占める部位である。図示された例の第１部５１１は、円筒部５１１０、開口５１１１、開口５１１２、ねじ用円柱部５１１３、リブ５１１４、係合部５１１５、平坦部５１１６、凸部５１１７および傾斜部５１１８を有する。
【００３７】
円筒部５１１０は、第１部５１１のｘ方向一方側に設けられており、ｘ方向視において円環状の部位である。円筒部５１１０は、カバー４のｘ方向における端部に取り付けられる。
【００３８】
開口５１１１は、第１部５１１をｚ方向に貫通しており、レンズ部５４を外部に露出させるためのものである。開口５１１２は、第１部５１１をｚ方向に貫通しており、開口５１１１とｘ方向に並んで配置されている。開口５１１２は、インジケータ５５を露出させるためのものである。
【００３９】
ねじ用円柱部５１１３は、ｚ方向内方に向けて突出している。ねじ用円柱部５１１３は、雌ねじが形成された円筒状の部位である。ねじ用円柱部５１１３は、ねじ５９と螺合する。
【００４０】
リブ５１１４は、図９に示すように、第１部５１１のｘ方向の端部からねじ用円柱部５１１３に向けて延びるように形成されており、ｚ方向に突出している。係合部５１１５は、第１部５１１のｘ方向の端部に沿って形成されており、ｘ方向視において半円環状である。係合部５１１５は、ｘ方向を軸方向とした場合の径方向内方に突出している。
【００４１】
平坦部５１１６は、円筒部５１１０の内側に位置するリブの一部である。平坦部５１１６は、ｙ方向に沿った平坦な部位であり、ｚ方向に対して直角である。図１０に示すように、平坦部５１１６には、後述の第２部５１２の爪部５１２１が係合する。
【００４２】
凸部５１１７は、電源基板固定部材３５の凹部３５１２が係合するための部位であり、円筒部５１１０の内側に位置するリブの一部である。図示された例においては、図９および図１０に示すように、ｙ方向に離間した２つの凹部３５１２が設けられている。
【００４３】
傾斜部５１１８は、図６に示すように、カバー４の端部が対向する位置に設けられており、ｙｚ平面に対して傾斜した部位である。図１０に示すように、図示された例においては、傾斜部５１１８は、円筒部５１１０の周方向における略半周の領域に設けられている。後述の第２部５１２のうち爪部５１２１の根本に位置する端部５１２５が、円筒部５１１０の図６における図中左端の凹部５１１９に係合する。この部位において、傾斜部５１１８が設けられていることにより、凹部５１１９の存在によって円筒部５１１０が部分的に肉厚が薄くなることを抑制することができる。また、図６において、カバー４がたとえば熱膨張によってｘ方向に伸長した場合、カバー４の端部が、傾斜部５１１８に点接触する。このため、カバー４の端部と円筒部５１１０の図中上方の部分との間には、隙間を維持することが可能である。
【００４４】
第２部５１２は、第１部５１１とともにケース５１をなす部位であり、ケース５１のｚ方向における概ね半分を占める。図示された例の第２部５１２は、爪部５１２１、ねじ用円柱部５１２２および係合部５１２３を有する。
【００４５】
爪部５１２１は、第２部５１２のｘ方向の端部に設けられており、ｚ方向に突出した鉤状の部位である。図１３に示すように、爪部５１２１は、第１部５１１と第２部５１２とを組み合わせる際に、第１部５１１の円筒部５１１０の平坦部５１１６に係合する。
【００４６】
ねじ用円柱部５１２２は、ｚ方向内方に向けて突出している。ねじ用円柱部５１２２は、ｚ方向視において、第１部５１１のねじ用円柱部５１１３と一致する位置に設けられており、円筒形状の部位である。ねじ用円柱部５１２２は、ねじ５９を挿通させる。
【００４７】
係合部５１２３は、第２部５１２のｘ方向の端部に沿って形成されており、ｘ方向視において半円環状である。係合部５１２３は、ｘ方向を軸方向とした場合の径方向内方に突出している。係合部５１２３は、第１部５１１の係合部５１１５とともに、円環形状をなす部位である。
【００４８】
また、本実施形態においては、図４に示すように、２つの支持部材固定部材５１９が
設けられている。図１３に示すように、支持部材固定部材５１９は、ケース５１の円筒部５１１０に取り付けられるものであり、図４に示すように、先端が支持部材１の筒状部１５に挿入される。これにより、支持部材１は、人感センサモジュール５のケース５１に固定される。
【００４９】
センサ基板５２は、ケース５１に収容されており、図示された例においては、第１部５１１に固定されている。センサ基板５２は、センサ部５３、レンズ部５４、インジケータ５５およびコネクタ５６が搭載される。
【００５０】
センサ部５３は、ＬＥＤ照明装置Ａ１の設置環境において人体を検出する機能を果たす素子を含むものである。センサ部５３の種類や動作原理は特に限定されず、たとえば人体から発せられる赤外線を検出対象とした焦電センサがその一例として挙げられる。
【００５１】
レンズ部５４は、センサ部５３のｚ方向正面に設けられており、ケース５１の第１部５１１の開口５１１１から外部に露出している。レンズ部５４は、センサ部５３が赤外線を検出対象とした焦電センサである場合、周辺環境から進行してきた赤外線をセンサ部５３により多く向かわせるための光学部品である。
【００５２】
インジケータ５５は、人感センサモジュール５の動作状態を外部に報知するためのものである。インジケータ５５の具体的構成は特に限定されず、たとえば砲弾型のＬＥＤモジュールが用いられる。
【００５３】
コネクタ５６は、たとえば人感センサモジュール５と電源部３とを電気的に接続するために用いられる。コネクタ５６は、センサ基板５２に搭載されており、図示しないケーブルが接続される。このケーブルは、たとえば電源部３に接続される。
【００５４】
ねじ５９は、第１部５１１と第２部５１２とを固定するためのものである。図示された例においては、ねじ５９は、第２部５１２のねじ用円柱部５１２２に挿通されて、第１部５１１のねじ用円柱部５１１３に螺合される。
【００５５】
口金７は、照明器具のソケット等の給電部に差し込まれることにより、ＬＥＤ照明装置Ａ１を取り付けるためのものである。本実施形態の口金７は、口金本体７１および一対の端子７２を有する。
【００５６】
口金本体７１は、たとえば樹脂からなり、有底の短筒形状である。図示された例においては、口金本体７１は、係合部７１１および凹部７１２を有する。
【００５７】
係合部７１１は、たとえば、口金本体７１のｘ方向の端部に設けられた溝部であり、口金本体７１の略全周に設けられている。図１３に示すように、ケース５１に口金７を取り付ける際には、第１部５１１の係合部５１１５および第２部５１２の係合部５１２３が、係合部７１１に係合する。
【００５８】
凹部７１２は、図８に示すように、口金本体７１のｘ方向の端部に設けられた凹みであり、図示された例においては、係合部７１１の一部が途切れることによって形成されている。凹部７１２は、口金７がケース５１に取り付けられた際に、図９に示すリブ５１１４と係合する。
【００５９】
＜無線通信モジュール６＞
無線通信モジュール６は、図１〜図３に示す人感センサモジュール５と同様に、カバー４のｘ方向端部に取り付けられるものであり、本発明の第２モジュールに相当する。無線通信モジュール６は、リモコン等を用いた使用者の操作指令を無線通信によって受信したり、ＬＥＤ照明装置Ａ１の動作状態を送信したりするためのものである。無線通信モジュール６からの信号は、たとえば電源部３に送られることにより、電源部３による複数のＬＥＤ２の点灯制御に用いられる。ＬＥＤ２の点灯制御としては、ＯＮ／ＯＦＦ制御、輝度制御、調光制御等が挙げられる。
【００６０】
本実施形態の無線通信モジュール６は、図１６〜図２１に示すように、ケース６１、通信基板６２、無線通信部６３、コネクタ６６、ねじ６９および口金７を備える。なお、口金７は、上述した人感センサモジュール５の口金７と共通の仕様であり、互いに同様の構成である。
【００６１】
ケース６１は、通信基板６２、無線通信部６３およびコネクタ６６を収容している。ケース６１の材質は特に限定されず、たとえば金型成形に適した樹脂からなる。本実施形態においては、ケース６１は、第１部６１１および第２部６１２からなる。
【００６２】
第１部６１１は、ケース６１のｚ方向における概ね半分を占める部位である。図示された例の第１部６１１は、図１８に示すように、円筒部５１１０、ねじ用円柱部６１１３、リブ６１１４および係合部６１１５を有する。
【００６３】
円筒部６１１０は、第１部６１１のｘ方向一方側に設けられており、ｘ方向視において円環状の部位である。円筒部６１１０は、カバー４のｘ方向における端部に取り付けられる。
【００６４】
ねじ用円柱部６１１３は、ｚ方向内方に向けて突出している。ねじ用円柱部６１１３は、雌ねじが形成された円筒状の部位である。ねじ用円柱部６１１３は、ねじ６９と螺合する。
【００６５】
リブ６１１４は、図１８に示すように、第１部６１１のｘ方向の端部からねじ用円柱部６１１３に向けて延びるように形成されており、ｚ方向に突出している。係合部６１１５は、第１部６１１のｘ方向の端部に沿って形成されており、ｘ方向視において半円環状である。係合部６１１５は、ｘ方向を軸方向とした場合の径方向内方に突出している。図１８および図２０に示すように、円筒部６１１０の平坦部６１１６、凸部６１１７および傾斜部６１１８は、たとえば上述の平坦部５１１６、凸部５１１７および傾斜部５１１８と同様の構成である。
【００６６】
第２部６１２は、第１部６１１とともにケース６１をなす部位であり、ケース６１のｚ方向における概ね半分を占める。図示された例の第２部６１２は、開口６１２１、壁部６１２２、係合部６１２４、爪部６１２５およびねじ用円柱部６１２６を有する。
【００６７】
開口６１２１は、図１６、図１９および図２１に示すように、第１部６１１をｚ方向に貫通しており、無線通信部６３を外部に露出させるためのものである。壁部６１２２は、開口６１２１からｚ方向内方に延びており、無線通信部６３に沿うように起立した部位である。
【００６８】
爪部６１２５は、第２部６１２のｘ方向の端部に設けられており、ｚ方向に突出した鉤状の部位である。図２０に示すように、爪部６１２５は、第１部６１１と第２部６１２とを組み合わせる際に、第１部６１１の円筒部６１１０に係合する。
【００６９】
ねじ用円柱部６１２６は、ｚ方向内方に向けて突出している。ねじ用円柱部６１２６は、ｚ方向視において、第１部６１１のねじ用円柱部６１１３と一致する位置に設けられており、円筒形状の部位である。ねじ用円柱部６１２６は、ねじ６９を挿通させる。
【００７０】
係合部６１２４は、第２部６１２のｘ方向の端部に沿って形成されており、ｘ方向視において半円環状である。係合部６１２４は、ｘ方向を軸方向とした場合の径方向内方に突出している。係合部６１２４は、第１部６１１の係合部６１１５とともに、円環形状をなす部位である。
【００７１】
また、図２０に示す支持部材固定部材６１９は、たとえば上述の支持部材固定部材５１９と同様の構成であり、支持部材１を無線通信モジュール６のケース６１に固定するためのものである。
【００７２】
通信基板６２は、ケース６１に収容されており、図示された例においては、第１部６１１に固定されている。通信基板６２は、無線通信部６３およびコネクタ６６が搭載される。
【００７３】
無線通信部６３は、リモコン等を用いた使用者の操作指令を無線通信によって受信したり、ＬＥＤ照明装置Ａ１の動作状態を送信したりするといった、無線通信を行うためのものである。無線通信部６３の種類や動作原理は特に限定されず、たとえばBluetooth（登録商標）を用いた近距離無線通信規格がその一例として挙げられる。
【００７４】
図２１に示すように、図示された無線通信部６３は、内部基板６３１、複数の通信部品６３２およびカバー６３３を有する。内部基板６３１は、複数の通信部品６３２が搭載された配線基板である。また、内部基板６３１は、無線通信を行うためのアンテナをその一部に含んでいてもよい。複数の通信部品６３２は、無線通信を行うための無線通信回路を構成する部品である。カバー６３３は、内部基板６３１および複数の通信部品６３２を収容しており、これらを保護するためのものである。カバー６３３は、たとえば樹脂からなる。
【００７５】
また、カバー６３３のｚ方向の高さは、開口６１２１のｚ方向の高さよりも若干低く又は略同一に設定されている。これにより、カバー６３３の表面が開口６１２１から突出することを回避し、カバー６３３が開口６１２１外の障害物等に干渉することを抑制することができる。
【００７６】
コネクタ６６は、たとえば無線通信モジュール６と電源部３とを電気的に接続するために用いられる。コネクタ６６は、通信基板６２に搭載されており、図示しないケーブルが接続される。このケーブルは、たとえば電源部３に接続される。
【００７７】
ねじ６９は、第１部６１１と第２部６１２とを固定するためのものである。図示された例においては、ねじ６９は、第２部６１２のねじ用円柱部６１２６に挿通されて、第１部６１１のねじ用円柱部６１１３に螺合される。
【００７８】
図２０に示すように、ケース６１に口金７を取り付ける際には、第１部６１１の係合部６１１５および第２部６１２の係合部６１２４が、係合部７１１に係合する。また、凹部７１２は、口金７がケース６１に取り付けられた際に、図１８に示すリブ６１１４と係合する。
【００７９】
＜口金８＞
口金８は、図１および図２に示すように、カバー４のｘ方向における人感センサモジュール５または無線通信モジュール６とは反対側の端部に取り付けられている。口金８は、口金７と対をなしており、ＬＥＤ照明装置Ａ１をソケット等の給電部に取り付けるために用いられる。なお、ＬＥＤ照明装置Ａ１が取り付けられる照明器具の仕様や、口金７および電源部３の仕様によっては、口金８は、ソケットへの機械的な取り付け機能のみを果たし、電気的な接続には寄与しない構成であってもよい。
【００８０】
次に、ＬＥＤ照明装置Ａ１の作用について説明する。
【００８１】
本実施形態によれば、図２２に示すように、人感センサモジュール５および無線通信モジュール６のいずれかを、カバー４のｘ方向の端部に選択的に取り付けることができる。このため、支持部材１、ＬＥＤ２、電源部３、カバー４および口金８等の、人感センサモジュール５および無線通信モジュール６以外の構成要素を共通化し、第１モジュールおよび第２モジュールに相当する人感センサモジュール５および無線通信モジュール６のいずれかを取り付けることによって、機能が異なるＬＥＤ照明装置Ａ１をそれぞれに実現することが可能である。このため、共通化された支持部材１、ＬＥＤ２、電源部３、カバー４および口金８等と、人感センサモジュール５および無線通信モジュール６とを予め用意しておけば、それ以降は任意の組合せの組み立てを行うことにより、ＬＥＤ照明装置Ａ１を製造することができる。したがって、ＬＥＤ照明装置Ａ１の高機能化および多様化をより容易に実現することができる。なお、人感センサモジュール５および無線通信モジュール６のいずれかとカバー４とは、接着剤等を用いた固定であってもよいし、係合やねじ等を用いた脱着可能な構造であってもよい。
【００８２】
人感センサモジュール５および無線通信モジュール６は、共通の仕様の口金７をそれぞれ有する。これにより、人体検出機能を果たす人感センサモジュール５と無線通信機能を果たす無線通信モジュール６といった、互いに異なる機能を果たすモジュールを、より効率よく構成することが可能である。これは、ＬＥＤ照明装置Ａ１の製造効率の向上やコスト低減に好ましい。
【００８３】
図９に示すように、人感センサモジュール５においては、ケース５１にリブ５１１４が設けられており、図８に示す口金７の口金本体７１の凹部７１２がリブ５１１４と係合する。また、図１８に示すように、無線通信モジュール６においては、ケース６１にリブ６１１４が設けられており、図８に示す口金７の口金本体７１の凹部７１２がリブ６１１４と係合する。これにより、口金７をケース５１およびケース６１のいずれに取り付けた場合であっても、口金７が人感センサモジュール５および無線通信モジュール６のいずれかに対して、不当に位置ずれすること（ｚ方向周りに回転して取り付けてしまうこと）を回避することができる。
【００８４】
図２３は、本発明の他の実施形態を示している。なお、これらの図において、上記実施形態と同一または類似の要素には、上記実施形態と同一の符号を付している。
【００８５】
＜第２実施形態＞
図２３は、本発明の第２実施形態に係るＬＥＤ照明装置Ａ２を示す分解斜視図である。本実施形態のＬＥＤ照明装置Ａ２においては、互いに長さが異なるカバー４Ａおよびカバー４Ｂが用意されており、いずれかが選択されて人感センサモジュール５に取り付けられる。なお、カバー４Ａおよびカバー４Ｂは、人感センサモジュール５に限定されず、無線通信モジュール６等に取り付けられる構成であってもよい。
【００８６】
カバー４Ａとカバー４Ｂとは、互いの長さが異なっている。カバー４Ａは、たとえば直管形蛍光灯の管長を示す型式である４０形に相当し、カバー４Ｂは２０形に相当する。また、本実施形態においては、カバー４Ａおよびカバー４Ｂの長さに対応して、上述した支持部材１、ＬＥＤ基板２１、複数の２２および電源部３等が適宜構成されている。
【００８７】
本実施形態によれば、人感センサモジュール５に取り付ける対象をカバー４Ａおよびカバー４Ｂから選択することにより、同じ機能を有するＬＥＤ照明装置Ａ２であって、互いの長さが異なるＬＥＤ照明装置Ａ２をより容易に実現することができる。
【００８８】
本発明に係るＬＥＤ照明装置は、上述した実施形態に限定されるものではない。本発明に係るＬＥＤ照明装置の各部の具体的な構成は、種々に設計変更自在である。
【００８９】
人感センサモジュール５および無線通信モジュール６は、本発明の第１モジュールおよび第２モジュールの一例である。本発明の第１モジュールおよび第２モジュールに機能や形状等は何ら限定されない。また、第１モジュールおよび第２モジュール以外の異なる機能を果たすモジュールがさらに選択可能である構成であってもよい。
【符号の説明】
【００９０】
Ａ１，Ａ２：ＬＥＤ照明装置
１        ：支持部材
２        ：ＬＥＤ
３        ：電源部
４，４Ａ，４Ｂ：カバー
５        ：人感センサモジュール（第１モジュール）
６        ：無線通信モジュール（第２モジュール）
７，８    ：口金
１１      ：主板部
１２      ：側板部
１４      ：保持部
１５      ：筒状部
２１      ：ＬＥＤ基板
３１      ：電源基板
３２      ：電源部品
３３      ：絶縁ケース
３５      ：電源基板固定部材
３６      ：ケーブル
５１      ：ケース
５２      ：センサ基板
５３      ：センサ部
５４      ：レンズ部
５５      ：インジケータ
５６      ：コネクタ
５９      ：ねじ
６１      ：ケース
６２      ：通信基板
６３      ：無線通信部
６６      ：コネクタ
６９      ：ねじ
７１      ：口金本体
７２      ：端子
３５１    ：主板部
３５１１  ：開口
３５１２  ：凹部
３５２    ：係合部
３５３    ：厚肉部
３５３１  ：挿通孔
５１１    ：第１部
５１２    ：第２部
５１９    ：支持部材固定部材
６１１    ：第１部
６１２    ：第２部
６１９    ：支持部材固定部材
６３１    ：内部基板
６３２    ：通信部品
６３３    ：カバー
７１１    ：係合部
７１２    ：凹部
５１１０  ：円筒部
５１１１，５１１２：開口
５１１３  ：ねじ用円柱部
５１１４  ：リブ
５１１５  ：係合部
５１１６  ：平坦部
５１１７  ：凸部
５１１８  ：傾斜部
５１２１  ：爪部
５１２２  ：ねじ用円柱部
５１２３  ：係合部
６１１０  ：円筒部
６１１３  ：ねじ用円柱部
６１１４  ：リブ
６１１５  ：係合部
６１１６  ：平坦部
６１１７  ：凸部
６１１８  ：傾斜部
６１２１  ：開口
６１２２  ：壁部
６１２４  ：係合部
６１２５  ：爪部
６１２６  ：ねじ用円柱部
【図１】
2020145015.tif 000003
【図２】
2020145015.tif 000004
【図３】
2020145015.tif 000005
【図４】
2020145015.tif 000006
【図５】
2020145015.tif 000007
【図６】
2020145015.tif 000008
【図７】
2020145015.tif 000009
【図８】
2020145015.tif 000010
【図９】
2020145015.tif 000011
【図１０】
2020145015.tif 000012
【図１１】
2020145015.tif 000013
【図１２】
2020145015.tif 000014
【図１３】
2020145015.tif 000015
【図１４】
2020145015.tif 000016
【図１５】
2020145015.tif 000017
【図１６】
2020145015.tif 000018
【図１７】
2020145015.tif 000019
【図１８】
2020145015.tif 000020
【図１９】
2020145015.tif 000021
【図２０】
2020145015.tif 000022
【図２１】
2020145015.tif 000023
【図２２】
2020145015.tif 000024
【図２３】
2020145015.tif 000025